(57)【要約】      （修正有）【課題】操作ボタンを用いた遊技演出を斬新なものにして所望の演出効果を実現することができる、遊技機を提供することである。【解決手段】操作ボタンを進出位置と第1退入位置との間のみで移動可能にする第1操作モードと、操作ボタンを進出位置と第２退入位置との間で移動可能にする第２操作モードとを択一的に切換え可能に構成された操作モード切換手段と、操作モード切換手段６４を制御する操作モード切換制御手段２５ｂとを備え、操作モード切換制御手段６４は、予め設定された特定期間中に前記抽選の結果を加味して決定される第１，第２操作モードの何れかの操作モードに保持し、その操作モードによって抽選で当選している信頼度が異なるように構成されている。【選択図】図２３
2011036563.tif 000002
【特許請求の範囲】
【請求項１】
通常遊技状態よりも遊技者に有利な特定遊技状態を所定の抽選により発生させる遊技状態制御手段と、進出位置と第１退入位置と第１退入位置よりも退入した第２退入位置とに亙って進退可能にベース部材に支持され且つ復帰バネにより進出位置に付勢された操作ボタンとを備えた遊技機であって、
前記操作ボタンを進出位置と第１退入位置との間のみで移動可能にする第１操作モードと、操作ボタンを進出位置と第２退入位置との間で移動可能にする第２操作モードとを択一的に切換え可能に構成された操作モード切換手段と、
前記操作モード切換手段を制御する操作モード切換制御手段とを備え、
前記操作モード切換制御手段は、予め設定された特定期間中に前記抽選の結果を加味して決定される第１，第２操作モードの何れかの操作モードに保持し、その操作モードによって前記抽選で当選している信頼度が異なるように構成されたことを特徴とする遊技機。
【請求項２】
前記操作ボタンを第２退入位置にロック可能に且つロック解除可能に構成されたボタンロック手段と、
前記ボタンロック手段を制御するボタンロック制御手段とを備え、
前記ボタンロック制御手段は、前記特定期間中に前記抽選の結果を加味して決定される操作ボタンを第２退入位置にロックさせる状態とロック解除させる状態の何れかの状態に保持し、その状態によって前記抽選で当選している信頼度が更に異なるように構成されたことを特徴とする請求項１に記載の遊技機。
【請求項３】
前記操作モード切換制御手段は、前記特定期間中に第１，第２操作モードの何れか一方から他方に切換え可能に構成したことを特徴とする請求項１又は２に記載の遊技機。
【請求項４】
前記操作モード切換制御手段が、操作モードを切換る場合と切換ない場合とで前記抽選で当選している信頼度が異なるように構成されたことを特徴とする請求項３に記載の遊技機。
【請求項５】
前記特定期間が操作ボタンの操作が有効となる操作有効期間であることを特徴とする請求項１〜４の何れか１項に記載の遊技機。
【請求項６】
遊技演出用の演出手段と、この演出手段を制御する演出制御手段とを備え、
前記演出制御手段は、前記操作有効期間にその旨を演出手段に報知させ、操作ボタンが進出位置から第１退入位置に操作された場合に遊技演出を切換えることを特徴とする請求項５に記載の遊技機。
【請求項７】
前記演出制御手段は、操作ボタンが進出位置から第２退入位置に操作された場合に遊技演出を切換えることを特徴とする請求項６に記載の遊技機。
【請求項８】
前記所定の抽選が、始動口への遊技球の入賞に基づいて行われる大当り抽選であり、
前記特定遊技状態が、大入賞口を複数ラウンドに亙って開閉する大当り遊技状態であることを特徴とする請求項１〜７の何れか１項に記載の遊技機。
【請求項９】
前記所定の抽選が、始動口への遊技球の入賞に基づいて大当り抽選で当選した場合に行われる確変抽選であり、
前記特定遊技状態が、大入賞口を複数ラウンドに亙って開閉する大当り遊技状態の終了
後に移行し、通常遊技状態と比べて大当り抽選の当選確率が高く且つ開閉式の始動口の開放頻度が高く開放時間が長くなる確変遊技状態であることを特徴とする請求項１〜７の何れか１項に記載の遊技機。
【請求項１０】
前記所定の抽選が、始動口への遊技球の入賞に基づいて大当り抽選で当選した場合に行われる潜確抽選であり、
前記特定遊技状態が、大入賞口を複数ラウンドに亙って開閉する大当り遊技状態の終了後に移行し、通常遊技状態と比べて大当り抽選の当選確率だけが高くなる潜確遊技状態であることを特徴とする請求項１〜７の何れか１項に記載の遊技機。
【発明の詳細な説明】
【技術分野】
【０００１】
本発明は、進退可能な操作ボタンを有する遊技機に関し、特に、操作ボタンを進出位置と第１退入位置との間のみで移動可能にする第１操作モードと、操作ボタンを進出位置と第１退入位置よりも退入した第２退入位置との間で移動可能にする第２操作モードとを択一的に切換え可能にしたものである。
【背景技術】
【０００２】
従来、パチンコ遊技機において、進出位置と退入位置とに亙って進退可能にベース部材に支持され、且つ復帰バネにより進出位置に付勢された演出ボタンを備えた機種（例えば、特許文献１〜３参照）が広く実用に供されている。
【０００３】
この種のパチンコ遊技機では、始動口への遊技球の入賞に基づいて、大当り抽選が行われるとともに、特別図柄が図柄変動後に表示される。表示された特別図柄の種類で大当り抽選の結果が報知され、その後、大当り抽選で当選している場合には、大入賞口が複数ラウンドに亙って開閉する大当り遊技状態が発生する。ここで、図柄変動中のボタン操作有効期間中に、遊技者が演出ボタンを操作することで、大当り抽選で当選している大当り期待度（大当り信頼度）が報知される（例えば、特許文献１参照）。
【０００４】
また、大当り抽選で当選した場合に高確抽選が行われ、表示された特別図柄の種類で大当り抽選の結果と共に高確抽選の結果が報知される。高確抽選で当選している場合には、大当り遊技状態の終了後に、大当り抽選の当選確率が通常よりも高い高確遊技状態へ移行する。ここで、高確抽選の結果を遊技者には一見判りにくく報知しておいて、大当り遊技状態等でのボタン操作有効期間中に、遊技者が演出ボタンを操作することで、高確抽選で当選している高確期待度（高確信頼度）が報知される。
【０００５】
このような遊技演出によって、遊技者の参加感と共に興趣を高めて、演出効果を高めることができる。ところで、特許文献２には、操作ボタンを退入位置にロック可能なボタンロック装置と、演出ボタンを進出位置にロック可能で且つ退入位置にロック可能なボタンロック装置が開示されている。また、特許文献３には、演出ボタンを退入位置にロック可能なボタンロック装置が開示されている。
【先行技術文献】
【特許文献】
【０００６】
【特許文献１】特開２００４−２７５４５０号公報
【特許文献２】特開２００９−５６０８５号公報
【特許文献３】特開２００８−２００２０２号公報
【発明の概要】
【発明が解決しようとする課題】
【０００７】
従来の操作ボタン（演出ボタン）を備えたパチンコ遊技機では、前記のように、遊技者は操作ボタンをいつでも自由に操作でき、操作ボタンを操作有効期間中に操作して大当り期待度や高確期待度等を報知する遊技演出の切換えに参加できるようにしている。尚、通常、特定の遊技演出の実行途中に操作有効期間となり、この操作有効期間中に操作ボタンが操作されなくても、特定の遊技演出は元のまま進行して成立する。
【０００８】
しかし、従来の操作ボタンを用いた演技演出では、操作ボタンが操作有効期間中に操作されることで始めて、大当り期待度や高確期待度等が報知されるため、その報知内容は別として改良の余地がなく、斬新さに欠ける。そこで、本願発明者は、操作ボタンを用いた遊技演出を改良すべく実用化に向けて検討を行った。この場合、操作ボタンを進出位置や退入位置にロック可能に且つロック解除可能なボタンロック装置を利用することも検討した。尚、ボタンロック装置として、特許文献２，３のボタンロック装置を利用することは可能である。
【０００９】
しかし、操作ボタンを進出位置から従来の退入位置へ操作可能な遊技機では、操作ボタンをロック及びロック解除可能な構成にしても、操作ボタンを用いた演技演出を斬新なものにして所望の演出効果を向上させることは難しい。特許文献２，３のボタンロック装置では、主に、操作ボタンの不必要な操作の防止、即ち操作ボタン等の損傷防止や、操作ボタンの誤操作の防止を目的としており、上記課題を改善できる構成になっていない。但し、特許文献２には、操作ボタンをロック可能にして、演出効果を向上させることは記載されているが、上記課題の改善を十分に実現できるだけの構成になっていない。
【００１０】
本発明の目的は、特定期間中に操作ボタンの押下操作距離が異なる第１，第２操作モードの何れかの操作モードに保持し、その操作モードによって特定遊技状態を発生させる所定の抽選で当選している信頼度が異なるようすることで、更に、特定期間中に抽選の結果を加味して決定される操作ボタンを第２退入位置にロックさせる状態とロック解除させる状態の何れかの状態に保持し、その状態によって抽選で当選している信頼度が更に異なるようすることで、操作ボタンを用いた遊技演出を斬新なものにして所望の演出効果を実現することができる、遊技機を提供することである。
【課題を解決するための手段】
【００１１】
請求項１の発明は、通常遊技状態よりも遊技者に有利な特定遊技状態を所定の抽選により発生させる遊技状態制御手段(21c)と、進出位置と第1退入位置と第1退入位置よりも退入した第２退入位置とに亙って進退可能にベース部材(41)に支持され且つ復帰バネ(49)により進出位置に付勢された操作ボタン(42)とを備えた遊技機であって、前記操作ボタン(42)を進出位置と第1退入位置との間のみで移動可能にする第1操作モードと、操作ボタン(42)を進出位置と第２退入位置との間で移動可能にする第２操作モードとを択一的に切換え可能に構成された操作モード切換手段(64)と、前記操作モード切換手段(64)を制御する操作モード切換制御手段(25b)とを備え、前記操作モード切換制御手段(25b)は、予め設定された特定期間中に前記抽選の結果を加味して決定される第１，第２操作モードの何れかの操作モードに保持し、その操作モードによって前記抽選で当選している信頼度が異なるように構成されたことを特徴としている。
【００１２】
請求項２の発明は、請求項１の発明において、前記操作ボタン(42)を第２退入位置にロック可能に且つロック解除可能に構成されたボタンロック手段(44)と、前記ボタンロック手段(44)を制御するボタンロック制御手段(25c)とを備え、前記ボタンロック制御手段(25c)は、前記特定期間中に前記抽選の結果を加味して決定される操作ボタン(42)を第２退入位置にロックさせる状態とロック解除させる状態の何れかの状態に保持し、その状態によって前記抽選で当選している信頼度が更に異なるように構成されたことを特徴としている。
【００１３】
請求項３の発明は、請求項１又は２の発明において、前記操作モード切換制御手段(25b)は、前記特定期間中に第１，第２操作モードの何れか一方から他方に切換え可能に構成したことを特徴としている。
【００１４】
請求項４の発明は、請求項３の発明において、前記操作モード切換制御手段(25b)が、操作モードを切換る場合と切換ない場合とで前記抽選で当選している信頼度が異なるように構成されたことを特徴としている。
【００１５】
請求項５の発明は、請求項１〜４の何れか１項の発明において、前記特定期間が操作ボタン(42)の操作が有効となる操作有効期間であることを特徴としている。
【００１６】
請求項６の発明は、請求項５の発明において、遊技演出用の演出手段(39)と、この演出手段(39)を制御する演出制御手段(25a)とを備え、前記演出制御手段(25a)は、前記操作有効期間にその旨を演出手段(39)に報知させ、操作ボタン(42)が進出位置から第１退入位置に操作された場合に遊技演出を切換えることを特徴としている。
【００１７】
請求項７の発明は、請求項６の発明において、前記演出制御手段(25a)は、操作ボタン(42)が進出位置から第２退入位置に操作された場合に遊技演出を切換えることを特徴としている。
【００１８】
請求項８の発明は、請求項１〜７の何れか１項の発明において、前記所定の抽選が、始動口への遊技球の入賞に基づいて行われる大当り抽選であり、前記特定遊技状態が、大入賞口を複数ラウンドに亙って開閉する大当り遊技状態であることを特徴としている。
【００１９】
請求項９の発明は、請求項１〜７の何れか１項の発明において、前記所定の抽選が、始動口への遊技球の入賞に基づいて大当り抽選で当選した場合に行われる確変抽選であり、前記特定遊技状態が、大入賞口を複数ラウンドに亙って開閉する大当り遊技状態の終了後に移行し、通常遊技状態と比べて大当り抽選の当選確率が高く且つ開閉式の始動口の開放頻度が高く開放時間が長くなる確変遊技状態であることを特徴としている。
【００２０】
請求項１０の発明は、請求項１〜７の何れか１項の発明において、前記所定の抽選が、始動口への遊技球の入賞に基づいて大当り抽選で当選した場合に行われる潜確抽選であり、前記特定遊技状態が、大入賞口を複数ラウンドに亙って開閉する大当り遊技状態の終了後に移行し、通常遊技状態と比べて大当り抽選の当選確率だけが高くなる潜確遊技状態であることを特徴としている。
【発明の効果】
【００２１】
請求項１の遊技機によれば、操作モード切換制御手段は、操作モード切換手段を制御して、予め設定された特定期間中に操作ボタンを進出位置と第１退入位置との間のみで移動可能にする第１操作モードと、操作ボタンを進出位置と第２退入位置との間で移動可能にする第２操作モードとの何れかの操作モードに択一的に保持するとともに、何れかの操作モードを特定遊技状態を発生させる所定の抽選の結果を加味して決定し、その操作モードによって抽選で当選している信頼度が異なるように構成した。つまり、遊技者が特定期間中に操作ボタンを第１退入位置までしか押下操作できない場合と第２退入位置まで押下操作できる場合とで、抽選で当選している信頼度を異ならせ、その信頼度をボタン操作の為に動作した遊技者にその動作時に報知して、操作ボタンを用いた演技演出を斬新なものにして所望の演出効果を実現することができる。
【００２２】
請求項２の遊技機によれば、ボタンロック制御手段は、ボタンロック手段を制御して、予め設定された特定期間中に操作ボタンを第２退入位置にロックさせた状態とロック解除させた状態の何れかの状態に択一的に保持するとともに、何れかの状態を特定遊技状態を発生させる所定の抽選の結果を加味して決定し、その状態によって抽選で当選している信頼度が更に異なるように構成した。つまり、遊技者が特定期間中に操作ボタンを第２退入位置まで押下操作できた後に、操作ボタンが進出位置に復帰した場合と復帰しない場合とで、つまり、その後に、遊技者が特定期間中に操作ボタンを操作できる場合と操作できない場合とで、抽選で当選している信頼度を異ならせ、その信頼度をボタン操作の為に動作した遊技者にその動作時に報知して、操作ボタンを用いた演技演出を斬新なものにして所望の演出効果を実現することができる。
【００２３】
請求項３の遊技機によれば、操作モード切換制御手段により、特定期間中に第１，第２操作モードの何れか一方から他方に択一的に切換えることができる。
請求項４の遊技機によれば、操作モードを切換る場合と切換ない場合とで抽選で当選している信頼度が異ならせ、その信頼度をボタン操作の為に動作した遊技者にその動作時に報知して、操作ボタンを用いた演技演出を斬新なものにして所望の演出効果を実現することができる。
【００２４】
請求項５の遊技機によれば、特定期間が操作ボタンの操作が有効となる操作有効期間であるので、この操作有効期間中に、遊技者が操作ボタンを押下操作することで遊技演出に参加することができるようになる。
【００２５】
請求項６の遊技機によれば、演出制御手段が、演出手段を制御して、ボタン操作有効期間にその旨を演出手段に報知させ、操作ボタンが進出位置から第１退入位置に操作された場合に遊技演出を切換るため、遊技者がボタン操作有効期間をその旨の報知により認識して、ボタン操作の為に動作することができ、そこで、操作ボタンを進出位置から第１退入位置に操作した場合に、遊技演出を切換えることができる。
【００２６】
請求項７の遊技機によれば、演技制御手段が、操作ボタンが進出位置から第２退入位置に操作された場合に遊技演出を切換るため、遊技者は、操作ボタンを進出位置から第２退入位置に操作した場合に、遊技演出を切換えることができる。
【００２７】
請求項８の遊技機によれば、信頼度として、大当り遊技状態を発生させる大当り抽選で当選している信頼度を異ならせることができる。
請求項９の遊技機によれば、信頼度として、確変遊技状態を発生させる確変抽選で当選している信頼度を異ならせることができる。
請求項１０の遊技機によれば、信頼度として、潜確遊技状態を発生させる潜確抽選で当選している信頼度を異ならせることができる。
【図面の簡単な説明】
【００２８】
【図１】実施例１のパチンコ遊技機の正面図である。
【図２】パチンコ遊技機の制御系のブロック図である。
【図３】操作ボタン装置を装備した皿構造体の平面図である。
【図４】操作ボタン装置の平面図である。
【図５】操作ボタン装置の底面図である。
【図６】操作ボタンが進出位置にある状態の操作ボタン装置の部分断面斜視図である。
【図７】操作ボタンが第１退入位置にある状態の操作ボタン装置の部分断面斜視図である。
【図８】操作ボタンの正面図である。
【図９】操作ボタンの底面図である
【図１０】図４のX-X線断面図である。
【図１１】操作モード切換装置の正面図である。
【図１２】操作モード切換装置の平面図である。
【図１３】第１操作モードにおける操作モード切換装置の側面図である。
【図１４】第２操作モードにおける操作モード切換装置の側面図である。
【図１５】図１０のXV-XV線断面図である。
【図１６】操作ボタンが第１退入位置にありロック部材がロック解除位置にある状態のボタンロック装置の作動説明図である。
【図１７】操作ボタンが第２退入位置にありロック部材がロック位置にある状態のボタンロック装置の作動説明図である。
【図１８】操作ボタンが第１退入位置にありロック部材がロック位置にある状態のボタンロック装置の作動説明図である。
【図１９】操作ボタンが第１退入位置（進出位置）から第２退入位置へ移動しロック部材がロック位置からロック解除位置へ回動している状態のボタンロック装置の作動説明図である。
【図２０】操作ボタン装置の制御系のブロック図である。
【図２１】操作モード切換・ボタンロック制御のフローチャートである。
【図２２】第１操作モード制御処理のフローチャートである。
【図２３】パチンコ遊技機の機能ブロック図である。
【図２４】遊技状態とその移行先を示す図である。
【図２５】大当り図柄と大当り遊技状態とその後の遊技状態との関係を示す図である。
【図２６】小当り図柄と小当り遊技とその後の遊技状態との関係を示す図である。
【図２７】演出制御基板が実行するタイマ割込処理のフローチャートである。
【図２８】コマンド受信処理のフローチャートである。
【図２９】変動演出選択処理のフローチャートである。
【図３０】変動演出終了中処理のフローチャートである。
【図３１】当り演出選択処理のフローチャートである。
【図３２】エンディング演出選択処理のフローチャートである。
【図３３】モードフラグ変更処理に用いるテーブルを示した図である。
【図３４】複数種類の演出選択テーブルと各種演出パターンを示した図である。
【図３５】操作ボタン処理のフローチャートである。
【図３６】操作ボタン処理で用いるテーブルである。
【図３７】画像制御処理のフローチャートである。
【図３８】画像制御処理のフローチャートである。
【図３９】変更形態にかかる操作ボタンが第１退入位置にあり規制ロック部材がロック解除位置にある状態の切換ロック装置の作動説明図である。
【図４０】変更形態にかかる操作ボタンが第２退入位置にあり規制ロック部材がロック位置にある状態の切換ロック装置の作動説明図である。
【図４１】実施例２に係る操作ボタン処理のフローチャートである。
【図４２】操作ボタン処理のフローチャートである。
【図４３】操作ボタン処理で用いるテーブルである。
【発明を実施するための形態】
【００２９】
本発明の遊技機は、通常遊技状態よりも遊技者に有利な特定遊技状態を所定の抽選により発生させる遊技状態制御手段と、進出位置と第１退入位置と第１退入位置よりも退入した第２退入位置とに亙って進退可能にベース部材に支持され且つ復帰バネにより進出位置に付勢された操作ボタンとを備え、操作ボタンを進出位置と第１退入位置との間のみで移動可能にする第１操作モードと、操作ボタンを進出位置と第２退入位置との間で移動可能にする第２操作モードとを択一的に切換え可能に構成された操作モード切換手段と、操作モード切換手段を制御する操作モード切換制御手段とを備え、操作モード切換制御手段は、予め設定された特定期間中に所定の抽選の結果を加味して決定される第１，第２操作モードの何れかの操作モードに保持し、その操作モードによって所定の抽選で当選している信頼度が異なるように構成したものである。以下、本発明を実施するための形態について、実施例に基づいて説明する。
【実施例１】
【００３０】
図１に示すように、パチンコ遊技機１には、遊技ホールの島構造体等に取付けられる外枠に開閉枠２が開閉自在に装着され、開閉枠２に開閉扉３が開閉自在に装着されている。開閉枠２に遊技盤４が装着され、その遊技盤４の前面側に遊技領域５が形成されている。開閉扉３に窓３ａが形成され、その窓３ａに透明板３ｂが装着され、その透明板３ｂにより遊技領域５の前側が覆われている。
【００３１】
図１，図３に示すように、開閉扉３には、窓３ａの下側に皿構造体６が設けられ、この皿構造体６の右下側に発射ハンドル７が装着されている。皿構造体６は、開閉扉３の本体部分から前方へ膨張するように形成され、この皿構造体６に、遊技球を貯留する貯留皿６ａが形成されるとともに、本案特有の操作ボタン装置４０が装備されている。この操作ボタン装置４０については後で詳細に説明する。
【００３２】
発射ハンドル７が回動操作されると、貯留皿６ａから発射位置に導入された遊技球が発射され、ここで、貯留皿６ａに複数の遊技球が存在する場合には、複数の遊技球が約０．６秒間隔で連続発射される。発射された遊技球はガイドレール８で案内され遊技領域５の上部に投入される。
【００３３】
図１，図２に示すように、遊技盤４には、多数の障害釘１０、始動入賞口装置１１、ゲート１２、大入賞口装置１３、複数の一般入賞口１４、センタ役物１５、画像表示器１６、遊技表示盤１９が、図示の配置にて装着され、遊技盤４の裏面側に制御装置２０が装着されている。
【００３４】
始動入賞口装置１１は、第１，第２始動入賞口１１ａ，１１ｂ、第２始動入賞口１１ｂを開閉する開閉駆動部材１１ｃ、第１，第２始動入賞口１１ａ，１１ｂに入賞した遊技球を夫々検出する第１，第２始動口ＳＷ１１ｄ，１１ｅ、開閉駆動部材１１ｃを開閉駆動する電チューＳＯＬ１１ｆを有する。尚、ＳＷはスイッチを意味し、ＳＯＬはソレノイドアクチュエータを意味する。開閉駆動部材１１ｃは、第２始動入賞口１１ｂへの遊技球の入賞を閉位置で不可能にし、開位置で可能にする。ゲート１２には、通過した遊技球を検出するゲートＳＷ１２ａが付設されている。
【００３５】
大入賞口装置１３は、大入賞口１３ａ、大入賞口１３ａを開閉する開閉駆動部材１３ｂ、大入賞口１３ａに入賞した遊技球を検出する大入賞口ＳＷ１３ｃ、開閉駆動部材１３ｂを開閉駆動する大入賞口ＳＯＬ１３ｄを有する。開閉駆動部材１３ｂは、大入賞口１３ａへの遊技球の入賞を閉位置で不可能にし、開位置で可能にする。各一般入賞口１４には入賞した遊技球を検出する一般入賞口ＳＷ１４ａが付設されている。
【００３６】
遊技表示盤１９は、第１特別図柄表示器１９ａ、第２特別図柄表示器１９ｂ、普通図柄表示器１９ｃ、第１特別図柄保留ランプ１９ｄ、第２特別図柄保留ランプ１９ｅ、普通図柄保留ランプ１９ｆを備えている。
【００３７】
第１特別図柄表示器１９ａには、第１始動入賞口１１ａへの遊技球の入賞に基づいて第１特別図柄が図柄変動後に停止表示され、第２特別図柄表示器１９ｂには、第２始動入賞口１１ｂへの遊技球の入賞に基づいて第２特別図柄が図柄変動後に停止表示される。第１又は第２特別図柄表示器１９ａ又は１９ｂに大当り図柄が停止表示された場合、大当り遊技状態が発生して、大入賞口装置１３が、開閉駆動部材１３ｂを開閉動作させ、通常は閉塞の大入賞口１３ａを複数ラウンド（Ｒ）に亙って開閉させる。
【００３８】
普通図柄表示器１９ｃには、ゲート１２への遊技球の入賞に基づいて普通図柄が図柄変動後に停止表示される。普通図柄表示器１９ｃに当り図柄が停止表示された場合、補助遊技が発生して、始動入賞口装置１１が、開閉駆動部材１１ｃを開閉動作させ、通常は閉塞の第２始動入賞口１１ｂを１又は複数回開閉させる。
【００３９】
第１特別図柄保留ランプ１９ｄには、第１始動入賞口１１ａに入賞した遊技球の数であって第１特別図柄表示器１９ａでの図柄変動に未だ供していない第１保留数が４個まで表示され、第２特別図柄保留ランプ１９ｅには、第２始動入賞口１１ｂに入賞した遊技球の数であって第２特別図柄表示器１９ｂでの図柄変動に未だ供していない第２保留数が４個まで表示され、普通図柄保留ランプ１９ｆには、ゲート１２に入賞した遊技球の数であって普通図柄表示器１９ｃでの図柄変動に未だ供していない保留数が４個まで表示される。
【００４０】
発射ハンドル７を回動操作することで、発射され遊技領域５の上部に投入された遊技球は、複数の障害釘１０に当たって方向を変えながら落下して、入賞口１１ａ，１１ｂ，１３ａ，１４の何れかに入賞した場合、そこから遊技領域５外へ排出され、入賞口１１ａ，１１ｂ，１３ａ，１４の何れにも入賞しなかった場合には、最終的に、遊技領域５の下端部に形成されたアウト口９から遊技領域５外へ排出される。
【００４１】
パチンコ遊技機１の制御系について説明する。
図２に示すように、制御装置２０は、メイン制御装置２１とサブ制御装置２５とで構成されている。メイン制御装置２１は、遊技制御基板２２にＣＰＵとＲＯＭとＲＡＭを備えて構成されている。遊技制御基板２２は盤用外部情報端子基板２３に接続されている。
【００４２】
サブ制御装置２５は、払出制御基板２６、演出制御基板２７、画像制御基板２８、ランプ制御基板２９を備え、この複数の制御基板２６〜２９に夫々ＣＰＵとＲＯＭとＲＡＭを備えて構成され、更に、演出制御基板２７はＲＴＣを備えている。払出制御基板２６は枠用外部情報端子基板２４に接続されている。
【００４３】
遊技制御基板２２は、第１，第２始動口ＳＷ１１ｄ，１１ｅ、ゲートＳＷ１２ａ、大入賞口ＳＷ１３ｃ、一般入賞口ＳＷ１４ａからの球検出信号と、払出制御基板２６からの制御情報を受けて、電チューＳＯＬ１１ｆ、大入賞口ＳＯＬ１３ｄ、図柄表示器１９ａ，１９ｂ，１９ｃ、図柄保留ランプ１９ｄ，１９ｅ，１９ｆを制御し、払出制御基板２６と演出制御基板２７と盤用外部情報端子基板２３に制御情報（遊技情報）を出力する。
【００４４】
払出制御基板２６は、遊技制御基板２２からの制御情報と、払出球検出ＳＷ３１、球有り検出ＳＷ３２、満タン検出ＳＷ３３からの球検出信号を受けて、払出駆動モータ３０を制御し、入賞口１１ａ，１１ｂ，１３ａ，１４への遊技球の入賞１個について、入賞口１１ａ，１１ｂ，１３ａ，１４毎に設定された数の遊技球を貯留皿６ａに払出し、遊技制御基板２２と枠用外部情報端子基板２４に制御情報（払出情報）を出力する。
【００４５】
演出制御基板２７は、遊技制御基板２２からの制御情報と、操作ボタン装置４０からの操作検出信号を受けて、画像制御基板２８に制御情報を出力し、更に、画像制御基板２８からの制御情報を受けて、操作ボタン装置４０を制御し、ランプ制御基板２９に制御情報を出力する。画像制御基板２８は、演出制御基板２７からの制御情報を受けて、画像表示器１６とスピーカ３４とを制御し、演出制御基板２７に制御情報を出力する。ランプ制御基板２９は、演出制御基板２７からの制御情報を受けて、主に画像制御基板２８による制御に同期させて、枠ランプ３５と盤ランプ３６とを制御する。
【００４６】
次に、操作ボタン装置４０について詳細に説明する。
図１〜図２０に示すように、操作ボタン装置４０は、ベース部材４１、操作ボタン４２、第１，第２操作ボタンＳＷ４３，４３Ａ、ボタンロック装置４４、操作モード切換装置６４、ＥＮＴＥＲボタン４５、十字ボタン４６、ＥＮＴＥＲボタンＳＷ４７、十字ボタンＳＷ４８ａ〜４８ｄを備えている。
【００４７】
図４〜図７，図１０に示すように、ベース部材４１は、底壁部５０ａと底壁部５０ａの外周部から立設された周壁部５０ｂとを有するベース本体５０、ベース本体５０の内側に収容された上部内カバー５１、ベース本体５０の内側と上部内カバー５１を覆うようにベース本体５０に固定された上部外カバー５２、ベース本体５０の下面に固定された基板５３、基板５３を覆うようにベース本体５０に固定された下部カバー５４、ベース本体５０の下側に設けられベース本体５０と基板５３と下部カバー５４の少なくとも１つに固定されたロック装置ケース５５、ベース本体５０の下側でロック装置ケース５５の左側に設けられベース本体５０と基板５３と下部カバー５４の少なくとも１つに固定された切換装置ケース５６を有する。尚、ケース５５，５６を共通のケースに構成してもよい。
【００４８】
上部外カバー５２の上面が、皿構造体６の上面と略連なって上方へ露出するように、また、操作ボタン４２、ＥＮＴＥＲボタン４５、十字ボタン４６が上方へ露出するように、操作ボタン装置４０が皿構造体６に組付けられている。
【００４９】
図４，図６〜図１０に示すように、操作ボタン４２は、進出位置（図６，図１０の実線を参照）と第１退入位置（図７の実線，図１０の２点鎖線を参照）と第１退入位置よりも退入した第２退入位置（図１０の３点鎖線を参照）とに亙って上下に進退可能にベース部材４１に支持され、復帰バネ４９により進出位置（上方）に付勢されている。
【００５０】
操作ボタン４２は、その上部に位置する平面視円形の出没操作部４２ａ、出没操作部４２ａから下方へ延び且つ出没操作部４２ａよりも小径の筒部４２ｂ、筒部４２ｂから左右両外側へ突出する１対の突出部４２ｃ、右側の突出部４２ｃから下方へ延びる遮蔽板取付部４２ｄ、筒部４２ｂから内側へ張出す内鍔部４２ｅ、内鍔部４２ｅの左右両内端部から下方へ延びる１対の脚部４２ｆ、１対の脚部４２ｆの長さ方向途中部に設けられた操作ボタン抜止め用の１対のフック部４２ｇ、１対の脚部４２ｆの下端部に設けられた操作ボタンロック用の１対の係合部４２ｈを有する。
【００５１】
ベース本体５０の左部には、その底壁部５０ａから上方へ突出する筒状部５０ｃが形成され、この筒状部５０ｃの左右両側部分に１対の突出部挿入部５０ｄが形成されている。操作ボタン４２の筒部４２ｂが筒状部５０ｃに上下動自在に内嵌され、また、操作ボタン４２の１対の突出部４２ｃが１対の突出部挿入部５０ｄに上下動自在に挿入され、操作ボタン４２は回り止めされて上下に進退可能に組付けられている。
【００５２】
ベース本体５０の左部には、その底壁部５０ａに開口５０ｅが形成されるとともに、底壁部５０よりも上方へ突出する左右１対の断面矩形の係止部５０ｆが形成され、また、基板５３（また、下部カバー５４）に開口５０ｅに連通する開口５３ａ，５３ｂが形成されている。操作ボタン４２の１対の脚部４２ｆは、１対の係止部５０ｆの外側近傍を通り、開口５０ｅ，５３ａ，５３ｂを挿通して下方へ延びロック装置ケース５５の内部に達し、操作ボタン４２の１対のフック部４２ｇは１対の係止部５０ｆの下側に位置している。
【００５３】
操作ボタン４２の筒部４２ｂの内側且つ１対の脚部４２ｆの外側において、操作ボタン４２の内鍔部４２ｅとベース本体５０の底壁部５０ａとの間に圧縮コイルバネからなる復帰バネ４９が装着されている。１対のフック部４２ｇが１対の係止部５０ｆに下側から係合した状態で、操作ボタン４２が進出位置になり、出没操作部４２ａが上部外カバー５２よりも上方へ突出した状態になる。
【００５４】
ここで、操作モード切換装置６４は、操作ボタン４２を進出位置と第１退入位置との間のみで移動可能にする第１操作モードと、操作ボタン４２を進出位置と第２退入位置との間で移動可能にする第２操作モードとを択一的に切換え可能な操作モード切換手段を構成したものであり、切換装置ケース５６に収容されている。
【００５５】
そして、操作モード切換装置６４が、第１操作モードの場合、出没操作部４２ａが規制部材６５の上端部に当接した状態で、操作ボタン４２が第１退入位置になり、出没操作部４２ａの上面と上部外カバー５２の上面の高さ位置が略同じになる。また、操作モード切換装置６４が、第２操作モードの場合、出没操作部４２ａが筒状部５０ｃの上端部に当接した状態で、操作ボタン４２が第２退入位置になり、出没操作部４２ａの上面が上部外カバー５２の上面よりも下方に位置した状態になる。
【００５６】
図４、図６、図７、図１０に示すように、第１操作ボタンＳＷ４３と第２操作ボタンＳＷ４３Ａは、夫々、発光部と受光部とを有する光学センサからなり、ロック装置ケース５５の右側において、基板５３の下面に夫々実装されている。操作ボタン４２の遮蔽板取付部４２ｄに右側部分がＬ字状の遮蔽板４３ａが取付けられている。操作ボタン４２が進出位置のとき、遮蔽板４３ａが第１操作ボタンＳＷ４３と第２操作ボタンＳＷ４３Ａの発光部と受光部の間に位置して（図６参照）、第１操作ボタンＳＷ４３と第２操作ボタン４３Ａがともにオフになる。操作ボタン４２が第１退入位置のとき、遮蔽板４３ａが第１操作ボタンＳＷ４３の発光部と受光部の間から下方へ退いて（図７参照）、第２操作ボタンＳＷ４３Ａがオフの状態を維持したまま、第１操作ボタンＳＷ４３がオンになる。操作ボタン４２が第２退入位置のとき、遮蔽板４３ａが第１操作ボタンＳＷ４３と第２操作ボタンＳＷ４３Ａの発光部と受光部の間から下方へ退いて（図示略）、第１操作ボタンＳＷ４３と第２操作ボタンＳＷ４３Ａがともにオンになる。
【００５７】
次に、操作モード切換装置６４について説明する。
図１０〜図１４に示すように、この操作モード切換装置６４は、第１退入位置の操作ボタン４２に係合して操作ボタン４２を第２退入位置へ移動不可能に規制する規制位置（図１２の実線，図１３参照）と規制解除位置（図１２の仮想線，図１４参照）とに亙って変位可能に設けられた規制部材６５と、この規制部材６５を規制位置と規制解除位置とに亙って移動駆動可能な規制部材駆動機構６６とを有する。
【００５８】
規制部材６５が、第１退入位置の操作ボタン４２にその軸心と直交し且つ軸心を通る任意の直線を挟んで両側で係合するように、操作ボタン４２の中心に対して前後対称に１対設けられている。各規制部材６５は、内周部分に第１退入位置の操作ボタン４２の出没操作部４２ａの下端外周部に当接する円弧状係合部６５ａを有し、左端部に規制部材駆動機構６６に連動連結する為の連結部６５ｂを有している。各円弧状係合部６５ａは、例えば、操作ボタン４２の軸心を中心として、約８０度に亙って設けられている。
【００５９】
１対の規制部材６５が規制位置のとき、１対の円弧状係合部６５ａは、操作ボタン４２の筒部４２ｂの進退の妨げにならないように、筒部４２ｂの移動軌跡から僅かな隙間を空けて位置する。１対の規制部材６５が規制解除位置のとき、１対の円弧状係合部６５ａは、操作ボタン４２の出没操作部４２ａの進退の妨げにならないにように、出没操作部４２ａの移動軌跡から僅かな隙間を空けて位置する。１対の規制部材６５の左右両端部には、被ガイド部６５ｃが形成され、この被ガイド部６５ｃが、ベース本体５０のガイド部５０ｇと切換装置ケース５６のガイド部５６ａに前後方向に移動自在にガイドされている。１対の連結部６５ｂは、１対の連結ピン６８ｂの移動を許容するように側面視にて下方開のコ字状に形成されている。
【００６０】
規制部材駆動機構６６は、１対の規制部材６５を移動駆動する共通の規制ＳＯＬ６７と、規制ＳＯＬ６７を１対の規制部材６５に連動連結する１対の開閉駆動部材６８とを有する。１対の開閉駆動部材６８は、各々が略Ｊ字形状に形成された細長いリンク部材から構成され、前後対称に配置されてその略中央部分が重なり合うように左右に向く共通軸６８ａを介して、切換装置ケース５６の軸支部５６ｂに枢支されている。
【００６１】
１対の開閉駆動部材６８の上下両端部には、夫々、１対の連結ピン６８ｂ，６８ｃが設けられ、上側１対の連結ピン６８ｂが、規制部材６５の１対の連結部６５ｂに上下方向に移動自在に係合し、下側１対の連結ピン６８ｃがプランジャ６７ａの連結部６７ｂに前後方向に移動自在に係合されている。この１対の開閉駆動部材６８は、連結部６５ｂ，６７ｂとの連結を維持して、軸６８ａを支点にして夫々所定の角度回動可能である。
【００６２】
規制ＳＯＬ６７は、開閉駆動部材６８の下側に縦向きに配置されて、切換装置ケース５６のＳＯＬ取付部５６ｃに取付けられ、そのプランジャ６７ａの前端部に連結部６７ｂが取付けられている。連結部６７ｂは、例えば、連結ピン６８ｃが前後方向に移動可能なように上下に間隔を空けて配置された１対の板部材と板部材間を連結する連結部材から構成されている。規制ＳＯＬ６７には、バネ部材６９が設けられ、このバネ部材６９は圧縮コイルバネであって、連結板６７ｂを常時上方に弾性付勢している。
【００６３】
規制ＳＯＬ６７がオフされると、プランジャ６７ａは進退自在になり、バネ部材６９により上方に弾性付勢される連結板６７ｂにより、開閉駆動部材６８の下側１対の係合ピン６８ｃを離隔させる方向に移動させて、上側１対の係合ピン６８ｂを接近させる方向に移動させることで、１対の連結部６５ｂを介して１対の規制部材６５を規制位置に移動させる。規制ＳＯＬ６７がオンされると、プランジャ６７ｂがバネ部材６９の付勢力に抗して退入駆動され、連結部６７ｂにより、開閉駆動部材６８の下側１対の係合ピン６８ｃを接近させる方向に移動させて、上側１対の係合ピン６８ｂを離隔させる方向に移動させることで、１対の連結部６５ｂを介して１対の規制部材６５を規制解除位置に移動させる。このように、規制ＳＯＬ６７のプランジャ６７ａの上下方向への駆動力を、規制部材６５の前後方向への駆動力に変換することができる。
【００６４】
次に、ボタンロック装置４４について説明する。
図１５〜図１９に示すように、ボタンロック装置４４は、操作ボタン４２を、第２退入位置にロック可能な且つロック解除可能なボタンロック手段を構成するものであり、ロック装置ケース５５に収容されている。
【００６５】
ボタンロック装置４４は、第２退入位置の操作ボタン４２に係合して操作ボタン４２をロックするロック位置（図１７，図１８参照）とロック解除位置（図１６参照）とに亙って回動自在にベース部材４１に支持された１対のロック部材６０と、１対のロック部材６０をロック位置に付勢する１対のバネ部材６１と、操作ボタン４２が第１退入位置（進出位置）から第２退入位置へ移動する際（図１９参照）に、操作ボタン４２から押し力を受けて１対のロック部材６０をロック位置からロック解除位置へ回動させる１対のロック連動機構６２と、１対のロック部材６０をロック位置からロック解除位置へ回動駆動可能なロック解除駆動機構６３とを備えている。
【００６６】
１対のロック部材６０及びバネ部材６１及びロック連動機構６２は、操作ボタン４２の１対の脚部４２ｆに対応するように、操作ボタン４２の中心に対して左右対称に設けられている。次に、ロック部材６０及びバネ部材６１及びロック連動機構６２について説明する。
【００６７】
ロック部材６０は、その長さ方向略中央部が、操作ボタン４２の脚部４２ｆよりも前方に位置する左右に向く軸６０ａを介して、ロック装置ケース５５の軸支部５５ａに枢支されている。ロック部材６０は、ロック部材６０の上部に後方へ張出すフック部６０ｂが形成され、ロック部材６０がロック位置のとき、そのフック部６０ｂが第２退入位置の操作ボタン４２の脚部４２ｆに形成された係合部４２ｈに上側から係合する。バネ部材６１は、引っ張りコイルバネからなり、その両端部が、ロック部材６０の下端部と、その前方に位置するロック装置ケース５５のバネ連結部５５ｂに連結されている。
【００６８】
ロック連動機構６２は、係合部４２ｈと、係合部４２ｈに下側から当接可能にロック部材６０に設けられ且つ操作ボタン４２が進出位置から第２退入位置へ移動する際に係合部４２ｈから押し力を受けるテーパ部６０ｃとを有する。テーパ部６０ｃは、フック部６０ｂにその上端部から後下端部に亙って、下方程後方へ移行するように且つ多少外側凸に湾曲するように形成されている。
【００６９】
ロック解除駆動機構６３が非作動状態のとき、操作ボタン４２が進出位置側から第２退入位置へ移動する際、係合部４２ｈがテーパ部６０ｃに係合して、ロック部材６０をロック位置側からバネ部材６１の付勢力に抗してロック解除位置へ回動させ、操作ボタン４２が第２退入位置に到達すると、係合部４２ｈがテーパ部６０ｃから係合解除して、ロック部材６０がバネ部材６１の付勢力によりロック解除位置からロック位置へ回動して、係合部４２ｈに係合するように構成されている。但し、操作ボタン４２は、第２退入位置側から進出位置へは復帰バネ４９の付勢力により移動するため、その際、ロック部材６０がロック位置からロック解除位置へ回動し得るように、復帰バネ４９及び１対のバネ部材６１の付勢力が設定されている。
【００７０】
ここで、係合部４２ｈは、脚部４２ｆの下端部に、その本体部分から操作ボタン４２の中心側へ突出するように一体形成されるとともに、この係合部４２ｈを含む部分が側面視にて上方開のコ字状に形成され、これにより、第２ロック部材６０が係合部４２ｈから不要に係合解除するのを防止することができる。
【００７１】
次に、ロック解除駆動機構６３について説明する。
ロック解除駆動機構６３は、１対のロック部材６０を回動駆動する共通の１つのロックＳＯＬ６３ａと、ロックＳＯＬ６３ａを１対のロック部材６０に連動連結する連結部材６３ｂとを有する。連結部材６３ｂは、平面視にて後方開のコ字状に形成され、その左右両後端部が１対のロック部材６０の下端部に、夫々、連結ピン６３ｃと連結長孔６３ｄとを介して、回動自在に且つロック部材６０の長さ方向へ相対的に移動自在に連結されている。
【００７２】
ロックＳＯＬ６３ａは、連結部材６３ｂの前側に後向きに配置されて、ロック装置ケース５５のＳＯＬ取付部５５ｃに取付けられ、そのプランジャ６３ａ１の後端部が連結部材６３ｂに連結されている。ロックＳＯＬ６３ａがオンされると、プランジャ６３ａ１が進出駆動され、ロック解除駆動機構６３が作動状態になり、ロックＳＯＬ６３ａがオフされると、プランジャ６３ａ１が進退自在になり、ロック解除駆動機構６３が非作動状態になる。
【００７３】
尚、１対のバネ部材６１の代わりに、連結部材６３ｂを前方へ付勢する共通の１つのバネを設けてもよい。この場合、ロックＳＯＬ６３ａに、プランジャ６３ａ１を退入側へ付勢するように組付けられたバネを採用してもよい。
【００７４】
尚、ＥＮＴＥＲボタン４５に対応するＥＮＴＥＲボタンＳＷ４７（図２０参照）が基板５３に実装されている。また、十字ボタン４６は、４つの第１〜第４十字ボタン４６ａ〜４６ｄ（図４参照）からなり、第１〜第４十字ボタン４６ａ〜４６ｄに対応する第１〜第４十字ボタンＳＷ４８ａ〜４８ｄ（図２０参照）が基板５３に実装されている。
【００７５】
図２０に示すように、演出制御基板２７は、遊技制御基板２２及び画像制御基板２８からの制御情報に基づいて、更に、操作ボタン装置４０のＳＷ４３，４３Ａ，４７，４８ａ〜４８ｄからの検出信号に基づいて、各種処理を実行するとともに、ロックＳＯＬ６３ａと規制ＳＯＬ６７を制御することで、操作モード切換・ボタンロック制御を実行する。
【００７６】
図２１に示すように、演出制御基板２７が実行する操作モード切換・ボタンロック制御では、先ず、第１操作モードにするか否か判定され（Ｓ１）、Ｓ１；Ｎｏの場合、即ち、第２操作モードにする場合、操作ボタン４２を第２退入位置にロックするか否か判定される（Ｓ２）。Ｓ２；Ｎｏの場合、即ち、第２操作モードにして、操作ボタン４２を第２退入位置にロックしない場合、規制ＳＯＬ６７とロックＳＯＬ６３ａが共にオンされる（Ｓ３）。Ｓ１；Ｙｅｓの場合、即ち、第１操作モードにする場合、第１操作モード制御処理（Ｓ４）が実行され、Ｓ２；Ｙｅｓの場合、即ち、第２操作モードにして、操作ボタン４２を第２退入位置にロック可能にする場合、規制ＳＯＬ６７がオンされ、ロックＳＯＬ６３ａがオフされる（Ｓ５）。
【００７７】
尚、Ｓ１，Ｓ２の判定は、操作フラグＯＦに基づいて行われ、ＯＦ＝０の場合、Ｓ１；Ｙｅｓとなり、ＯＦ＝１の場合、Ｓ１；Ｎｏ→Ｓ２；Ｎｏとなり、ＯＦ＝２の場合、Ｓ１；Ｎｏ→Ｓ２；Ｙｅｓとなる。
【００７８】
図２２に示すように、第１操作モード制御処理では、操作ボタン４２が第２退入位置か否か（即ち、第２操作ボタンＳＷ４３Ａがオンか否か）判定される（Ｓ１１）。Ｓ１１；Ｙｅｓの場合、規制ＳＯＬ６７とロックＳＯＬ６３ａが共にオンされ（Ｓ１４）、操作ボタン４２が第２退入位置にロックされている場合にはロック解除される。Ｓ１１；Ｎｏの場合、操作ボタン４２が第１退入位置よりも上方位置か否か（即ち、第１操作ボタンＳＷ４３がオフか否か）判定される（Ｓ１２）。Ｓ１２；Ｙｅｓの場合、規制ＳＯＬ６７とロックＳＯＬ６３ａが共にオフされ（Ｓ１３）、Ｓ１２；Ｎｏの場合、即ち、操作ボタン４２が第１退入位置に位置する、或いは、操作ボタン４２が第１退入位置と第２退入位置との間に位置する可能性がある場合、リターンする。
【００７９】
第１操作モードのとき、規制ＳＯＬ６７がオフからオンに切換えられると、１対の規制部材６５が規制位置から規制解除位置に瞬時に確実に切換わり、操作ボタン４２を進出位置と第２退入位置との間で移動可能な第２操作モードに切り換えられる。第２操作モードのとき、操作ボタン４２が第１退入位置より上方に位置しているときに、規制ＳＯＬ６７がオンからオフに切換えられると、１対の規制部材６５が規制解除位置から操作ボタン４２と干渉することなく規制位置に瞬時に確実に切換わり、操作ボタン４２を進出位置と第１退入位置との間のみで移動可能な第１操作モードに切り換えられる。
【００８０】
操作ボタン４２が第２退入位置のときに、ロックＳＯＬ６３ａがオンからオフに切換えられると、ロック部材６０がロック位置に切換わって係合部４２ｈに係合し、操作ボタン４２が第２退入位置に瞬時に確実にロックされる。操作ボタン４２が第２退入位置以外の位置のときに、ロックＳＯＬ６３ａがオンからオフに切換えられると、ロック部材６０がロック位置側へ切換わるが、その後、操作ボタン４２が第２退入位置へ移動する際、ロック部材６０が一旦ロック解除位置に切換わり、操作ボタン４２が第２退入位置に到達すると、ロック部材６０がロック位置に切換わって係合部４２ｈに係合し、操作ボタン４２が第２退入位置に瞬時に確実にロックされる。
【００８１】
また、操作ボタン４２が第２退入位置のときに、ロック部材６０がロック位置で係合部４２ｈに係合している状態から、ロックＳＯＬ６３ａがオフからオンに切換えられると、ロック部材６０がロック解除位置に切換わって係合部４２ｈから係合解除し、操作ボタン４２が第２退入位置からに瞬時に確実にロック解除される。
【００８２】
ここで、操作ボタン４２の操作が有効となるボタン操作有効期間が、全体の遊技時間に対してかなり短いものとして、通常は第１操作モードにして、規制ＳＯＬ６７とロックＳＯＬ６３ａをオフにする方が有利である。何故なら、規制ＳＯＬ６７とロックＳＯＬ６３ａをオンすると、操作ボタン４２を第２操作モードで操作可能になるが、そうしないことで、不要な電力を使わずに節電することができる。
【００８３】
尚、１対の円弧状係合部６５ａを有する規制部材６５の代わりに、操作ボタン４２の筒部４２ｂに向けて突出する複数（例えば３つ又は４つ）の突出部からなる規制部材を設け、これら複数の突出部を規制位置と規制解除位置とに亙って変位可能にして、この複数の規制部材が、第１退入位置の操作ボタン４２にその軸心と直交し且つ軸心を通る任意の直線を挟んで両側で係合するように構成してもよい。ロック部材６０，バネ部材６１、ロック連動機構６２については、１組だけ或いは３組以上設けてもよい。また、ロック部材６０を操作ボタン４２の係合部４２ｈ以外の部位に係合可能にしてもよい。
【００８４】
以上説明したように、第１操作モードと第２操作モードとを択一的に切換え可能に構成された操作モード切換装置６４を備えたので、第１操作モードに切換えて、操作ボタン４２を進出位置と第１退入位置との間のみで移動させ、第２操作モードに切換えて、操作ボタン４２を進出位置と第１退入位置よりも退入した第２退入位置との間を移動させることができる。
規制部材６５と規制部材駆動機構６６とを有する操作モード切換装置６４により、第１操作モードにおいて、第１退入位置の操作ボタン４２の第２退入位置への移動を確実に規制することができる。
【００８５】
規制部材６５が、第１退入位置の操作ボタン４２にその軸心と直交し且つ軸心を通る任意の直線を挟んで両側で係合するように複数設けられたので、操作ボタン４２を第１退入位置にガタつきなく受止めることができる。
規制部材駆動機構６６は、複数の規制部材６５を移動駆動する共通の１つの規制ＳＯＬ６７を有するので、第１操作モードと第２操作モードとの切換を円滑に行うことができる。しかも、規制部材駆動機構６６の制作コストを低減することができる。
【００８６】
操作ボタン４２を第２退入位置にロック可能に且つロック解除可能に構成されたボタンロック装置４４を備えたので、場合によって、操作ボタン４２を第２退入位置にロックすることができ、第２退入位置からロック解除することができる。
ロック部材６０と、バネ部材６１と、ロック連動機構６２と、ロック解除駆動機構６３とを有するボタンロック装置４４により、操作ボタン４２を第２退入位置に瞬時に確実にロックすることができ、第２退入位置から瞬時に確実にロック解除することができる。
【００８７】
さて、図２３に示すように、メイン制御装置２１（遊技制御基板２２）により、乱数取得手段２１ａ、乱数判定手段２１ｂ、遊技状態制御手段２１ｃが構成され、サブ制御装置２５（演出制御基板２７，画像制御基板２８，ランプ制御基板２９）により、操作モード切換制御手段２５ｂとボタンロック制御手段２５ｃとを有する演出制御手段２５ａが構成されている。
【００８８】
乱数取得手段２１ａは、始動入賞口１１ａ，１１ｂへの遊技球の入賞を契機に乱数値（大当り乱数値、大当り図柄乱数値、リーチ乱数値）を取得し、乱数判定手段２１ｂは、乱数取得手段２１ａで取得された乱数値に基づいて特別図柄の種類を判定（選択）し、判定された種類の特別図柄が特別図柄表示器１９ａ，１９ｂに図柄変動後に停止表示される。
【００８９】
乱数判定手段２１ｂによる具体的な処理では、先ず、取得された大当り乱数値が所定の低確率（例えば、１／３００）又は高確率（例えば、１／３０）で大当り特定値と一致した場合、次に、大当り図柄乱数値に基づいて、図２５に示す確変図柄Ａ，Ｂ、通常図柄、突確図柄Ａ，Ｂ、突時図柄の６種類の大当り図柄の何れか１つが所定の選択率で択一的に選択される。一方、大当り乱数値が大当り特定値と一致しない場合、大当り乱数値が小当り特定値と一致した場合には、図２６に示す小当り図柄が選択され、大当り乱数値が小当り特定値と一致しない場合には、ハズレ図柄が選択される。
【００９０】
図２４に示すように、パチンコ遊技機１の遊技状態として、通常遊技状態、確変遊技状態、潜確遊技状態、時短遊技状態、大当り遊技状態の５種類の遊技状態が存在し、この５種類の遊技状態の何れか１つが択一的に切換え可能に設定される。大当り遊技状態、確変遊技状態、潜確遊技状態が、通常遊技状態よりも遊技者に有利な特定遊技状態に相当する。尚、時短遊技状態も通常遊技状態よりも遊技者に有利な遊技状態である。
【００９１】
遊技状態制御手段２１ｃは、大当り遊技状態以外の遊技状態において、大当り図柄（確変図柄Ａ，Ｂ、通常図柄、突確図柄Ａ，Ｂ、突時図柄）が停止表示された場合、大当り遊技状態へ移行させる。ここで、図２５に示すように、例えば、確変図柄Ａ，Ｂと通常図柄の場合、大入賞口１３ａが９Ｒ長開放を行い、各ラウンドの大入賞口１３ａの最大開放時間が約３０秒となるため、大量の出球を獲得することができ、突確図柄Ａ，Ｂと突時図柄の場合、大入賞口１３ａが９Ｒ短開放を行い、各ラウンドの大入賞口１３ａの最大開放時間が約０．２秒となるため、出球を実質獲得することができない。
【００９２】
また、図２５に示すように、遊技状態制御手段２１ｃは、確変図柄Ａ，Ｂ、突確図柄Ａの成立に基づく大当り遊技状態の終了後に確変遊技状態へ移行させ、突確図柄Ｂの成立に基づく大当り遊技状態の終了後に潜確遊技状態へ移行させ、通常変図柄、突時図柄の成立に基づく大当り遊技状態の終了後に時短遊技状態へ移行させる。
【００９３】
更に、遊技状態制御手段２１ｃは、確変図柄Ａ、突確図柄Ａの成立に基づく確変遊技状態と、突確図柄Ｂの成立に基づく潜確遊技状態を、実質的に次回の大当り遊技状態が発生するまで継続させ、確変図柄Ｂの成立に基づく確変遊技状態を、最大で特別図柄の図柄変動が設定回数（例えば、４０回）行われるまで継続させ、その後、潜確遊技状態に移行させ、通常図柄、突時図柄の成立に基づく時短遊技状態を、最大で特別図柄の図柄変動が設定回数（例えば、４０回）行われるまで継続させ、その後、通常遊技状態に移行させる。
【００９４】
通常遊技状態、時短遊技状態では、大当り遊技状態を発生させる大当り抽選の当選確率が低確率（例えば、１／３００）になり、時短遊技状態では、通常遊技状態に比べて、開閉式の第２始動入賞口１１ｂの開放頻度が高く開放時間が長くなる。確変遊技状態、潜確遊技状態では、通常遊技状態と比べて、大当り遊技状態を発生させる大当り抽選の当選確率が高確率（例えば、１／３０）になり、更に、確変遊技状態では、通常遊技状態に比べて、開閉式の第２始動入賞口１１ｂの開放頻度が高く開放時間が長くなる。
【００９５】
このように、遊技状態制御手段２１ｃは、大当り遊技状態、確変遊技状態、潜確遊技状態、時短遊技状態を所定の抽選により発生させ、その所定の抽選が、乱数取得手段２１ａと乱数判定手段２１ｂにより行われ、大当り抽選、確変抽選、潜確抽選を含むものとなる。そして、大当り図柄（確変図柄Ａ，Ｂ、通常図柄、突確図柄Ａ，Ｂ、突時図柄の何れか１つ）が選択表示されることで、大当り遊技状態を発生させる大当り抽選で当選したことになり、確変図柄Ａ，Ｂ、突確図柄Ａの何れか１つが選択表示されることで確変遊技状態を発生させる確変抽選で当選したことになり、突確図柄Ｂが選択表示されることで、潜確遊技状態を発生させ潜確抽選で当選したことになる。
【００９６】
尚、図２６に示すように、大当り遊技状態以外の遊技状態において、小当り図柄が停止表示された場合、突確図柄Ａ，Ｂ、突時図柄の成立に基づく大当り遊技状態と同様に、大入賞口１３ａが９Ｒ短開放を行う小当り遊技が発生し、小当り遊技後の遊技状態は、小当り遊技前の遊技状態と同じになる。故に、遊技者は、突確図柄Ｂの成立に基づく大当り遊技状態と小当り遊技の見分けが一見つかなくなる。
【００９７】
ここで、通常遊技状態と潜確遊技状態とでは、また、時短遊技状態と確変遊技状態とでは、夫々、大当り抽選の当選確率だけが異なるものとなり、大当り遊技状態終了後、小当り遊技後、遊技者が遊技状態を特定することが難しいが、遊技者により有利な遊技状態になっていることを期待する。
【００９８】
演出制御手段２５ａ、操作モード切換制御手段２５ｂ、ボタンロック制御手段２５ｃについて説明する。
【００９９】
操作モード切換制御手段２５ｂは、予め設定されたボタン操作有効期間中に抽選の結果を加味して決定される第１，第２操作モードの何れかの操作モードに保持し、その操作モードによって所定の抽選（大当り抽選，確変抽選，潜確抽選）で当選している信頼度が異なるように構成されている。
【０１００】
ボタンロック制御手段２５ｃは、ボタン操作有効期間中に抽選の結果を加味して決定される操作ボタンを第２退入位置にロックさせる状態とロック解除させる状態の何れかの状態に保持し、その状態によって所定の抽選（大当り抽選，確変抽選，潜確抽選）で当選している信頼度が更に異なるように構成されている。
【０１０１】
演出制御手段２５ａは、遊技演出を実行する為の画像表示器１６を含む演出手段３９を制御して、ボタン操作有効期間にその旨を演出手段３９に報知させ、操作ボタン４２が進出位置から第１退入位置に操作された場合に遊技演出を切換える、また、操作ボタン４２が進出位置から第２退入位置に操作された場合に遊技演出を切換える。
【０１０２】
次に、操作モード切換制御手段２５ｂとボタンロック制御手段２５ｃとを有する演出制御手段２５ａの上記構成を達成するために、サブ制御装置２５（演出制御基板２７，画像制御基板２８）が実行する具体的な処理・制御について説明する。
【０１０３】
図２７に示すように、演出制御基板２７は微小時間毎にタイマ割込処理を実行し、このタイマ割込処理において、コマンド受信処理（Ｓ２１）、操作ボタン処理（Ｓ２２）、コマンド送信処理（Ｓ２３）を順次実行する。Ｓ２１では、遊技制御基板２２（画像制御基板２８）からのコマンドを受信し、Ｓ２３では、後述のステップでセットしたコマンドを画像制御基板２８（ランプ制御基板２９）へ送信する。
【０１０４】
図２８に示すように、Ｓ２１のコマンド受信処理では、保留数増加コマンドを受信した場合（Ｓ３１；Ｙｅｓ）、保留数加算処理（Ｓ３２）を実行し、保留数コマンドをセットする（Ｓ３３）。変動開始コマンドを受信した場合（Ｓ３４；Ｙｅｓ）、変動演出選択処理（Ｓ３５）を実行する。変動停止コマンドを受信した場合（Ｓ３６；Ｙｅｓ）、変動演出終了中処理（Ｓ３７）を実行する。オープニングコマンドを受信した場合（Ｓ３８；Ｙｅｓ）、当り演出選択処理（Ｓ３９）を実行する。エンディングコマンドを受信した場合（Ｓ４０；Ｙｅｓ）、エンディング演出選択処理（Ｓ４１）を実行する。最後に、客待ちコマンド受信処理（Ｓ４２）を実行し、リターンする。
【０１０５】
図２９に示すように、Ｓ３５の変動演出選択処理では、遊技制御基板２２から受信した変動開始コマンドを解析し（Ｓ５１）、モードフラグＭＦ（図３３の５種類のＡ〜Ｅモードのうち現在のモードに対応するモードフラグ０〜４の何れか１つ）を参照し（Ｓ５２）、続いて、保留数減算処理（Ｓ５３）を実行する。図３４に示すように、５種類のＡ〜Ｅモードに夫々対応する５種類の演出選択テーブルＡ〜Ｅが記憶されている。
【０１０６】
そして、変動演出パターン選択処理（Ｓ５４）では、Ｓ５２で参照したモードフラグＭＦに対応する５種類の演出選択テーブルＡ〜Ｅの何れか１つを抽出し、その演出選択テーブルと、Ｓ５１で解析した特別図柄の種類を含む情報に基づいて、複数種類の変動演出パターン１，２，３・・・の何れか１つを選択する。
【０１０７】
ここで、図３４に示すように、選択対象となる複数種類の変動演出パターン、複数種類の当り演出パターン、複数種類のエンディング演出パターンの中に、夫々、複数種類の特定の変動演出パターン、複数種類の特定の当り演出パターン、複数種類の特定のエンディング演出パターンが存在し、各特定の演出パターンに、演出ボタン４２の操作が有効となるボタン操作有効期間が設定されている。
【０１０８】
そして、変動演出パターンを選択する場合、全種類の変動演出パターンの何れか１つを選択する。その後、Ｓ５４で選択した変動演出パターンの情報を含む変動演出開始コマンドをセットし（Ｓ５５）、リターンする。
【０１０９】
図３０に示すように、Ｓ３７の変動演出終了中処理では、遊技制御基板２２から受信した変動停止コマンドを解析し（Ｓ６１）、モードフラグＭＦを参照し（Ｓ６２）、当りか否か判定する（Ｓ６３）。当りの場合（Ｓ６３；Ｙｅｓ）、モードフラグ変更処理（Ｓ６４）を実行し、図３３に示すように、当該当りの契機となった当り図柄に応じたモードフラグＭＦ（例えば、確変図柄Ａの場合は１（Ｂモード））を変更設定するとともに、遊技状態滞在カウンタＭＣに当り図柄に応じた値（例えば、確変図柄Ａの場合は１００００）をセットする。
【０１１０】
一方、当りでない場合（Ｓ６３；Ｎｏ）、ＭＦが０か否か（Ａモードか否か）判定し（Ｓ６５）、Ｓ６５；Ｎｏの場合、ＭＣをＭＣ−１に減算し（Ｓ６６）、次に、ＭＣが０になった場合（Ｓ６７；Ｙｅｓ）、ＭＦに０（Ａモード）を設定する（Ｓ６８）。Ｓ６４の後、Ｓ６８の後、Ｓ６５；Ｙｅｓの場合、Ｓ６７；Ｎｏの場合、次に、変動演出終了コマンドをセットし（Ｓ６９）、リターンする。
【０１１１】
図３１に示すように、Ｓ３９の当り演出選択処理では、遊技制御基板２２から受信したオープニングコマンドを解析し（Ｓ７１）、モードフラグＭＦを参照する（Ｓ７２）。次に、当り演出パターン選択処理（Ｓ７３）において、Ｓ７２で参照したモードフラグＭＦに対応する図３４に示す５種類の演出選択テーブルＡ〜Ｅの何れか１つを抽出し、その演出選択テーブルと特別図柄の種類に基づいて、複数種類の当り演出パターン１，２，３・・・の何れか１つを選択する。
【０１１２】
この場合、全種類の当り演出パターンの何れか１つを選択する。その後、Ｓ７３で選択した当り演出パターンの情報を含むオープニング演出開始コマンドをセットし（Ｓ７４）、リターンする。
【０１１３】
図３２に示すように、Ｓ４１のエンディング演出選択処理では、遊技制御基板２２から受信したエンディングコマンドを解析し（Ｓ７５）、モードフラグＭＦを参照する（Ｓ７６）。次に、エンディング演出パターン選択処理（Ｓ７７）において、Ｓ７６で参照したモードフラグＭＦに対応する５種類の図３４に示す演出選択テーブルＡ〜Ｅの何れか１つを抽出し、その演出選択テーブルと特別図柄の種類に基づいて、複数種類のエンディング演出パターン１，２，３・・・の何れか１つを選択する。
【０１１４】
この場合、全種類のエンディング演出パターンの何れか１つを選択する。その後、Ｓ７７で選択したエンディング演出パターンの情報を含むエンディング演出開始コマンドをセットし（Ｓ７８）、リターンする。
【０１１５】
前記操作モード切換・ボタンロック制御は、特定の演出パターンが選択された場合に実行され、特に、大当り抽選に関する操作モード切換・ボタンロック制御は、特定の変動演出パターンに対して実行され、確変抽選と潜確抽選に関する操作モード切換・ボタンロック制御は、特定の変動演出パターン又は当り演出パターン又はエンディング演出パターンに対して実行される。
【０１１６】
次に、図３５に示すように、Ｓ２２の操作ボタン処理では、先ず、特定の演出パターン（特定の変動演出パターン又は当り演出パターン又はエンディング演出パターン）を実行か否か判定し（Ｓ９１）、Ｓ９１；Ｙｅｓの場合、操作モード切換・ボタンロック制御を実行か否か判定する（Ｓ９２）。Ｓ９１，Ｓ９２；Ｎｏの場合、操作フラグＯＦに０がセットされ（Ｓ９３）、リターンする。Ｓ９２；Ｙｅｓの場合、モード判定処理（Ｓ９４）で実行し、この処理では、図３６に示すように、大当り抽選、確変抽選、潜確抽選の各々において、当選の場合と非当選の場合とで、夫々、第１操作モードにする、第２操作モードにして操作ボタン４２を第２退入位置にロックしないようにする、第２操作モードにして操作ボタン４２を第２退入位置にロック可能にする、の何れか１つを図示の選択率にて択一的に選択決定する。
【０１１７】
次に、Ｓ９４の後、ボタン操作有効期間か否か判定し（Ｓ９５）、Ｓ９５；Ｙｅｓの場合、第１操作モードにするか否か判定し（Ｓ９６）、第１操作モードの場合（Ｓ９６；Ｙｅｓ）、ＯＦに０をセットし（Ｓ９９）、第２操作モードにして操作ボタン４２を第２退入位置にロックしない場合（Ｓ９６；Ｎｏ，Ｓ９７；Ｎｏ）、ＯＦに１をセットし（Ｓ９８）、第２操作モードにして操作ボタン４２を第２退入位置にロック可能にする場合（Ｓ９６；Ｎｏ，Ｓ９７；Ｙｅｓ）、ＯＦに２をセットし（Ｓ１００）、夫々、ＳＡへ移行する。Ｓ９５；Ｎｏの場合、ＯＦに０をセットし（Ｓ９９）、ＳＡへ移行する。
【０１１８】
ＳＡの操作モード切換・ボタンロック制御は、図２１，図２２を用いて前記した通りであり、この操作モード切換・ボタンロック制御により次のようになる。即ち、ＯＦ＝０とすることで、操作ボタン４２は進出位置と第１退入位置の間のみで移動可能となり、ＯＦ＝１，２とすることで、操作ボタン４２は進出位置と第２退入位置との間で移動可能となり、ＯＦ＝２とすることで、操作ボタン４２は第２退入位置に操作されると直ちにロックされる。
【０１１９】
次に、ＳＡの後、第１操作モードで操作ボタン４２が第１退入位置に押下操作されたか否か判定し（Ｓ１０１）、Ｓ１０１；Ｙｅｓの場合、第１操作ボタンコマンドセットする。（Ｓ１０２）。Ｓ１０１；Ｎｏの場合、又はＳ１０２の後、第２操作モードで操作ボタン４２が第２退入位置に押下操作されたか判定し（Ｓ１０３）、Ｓ１０３；Ｎｏの場合、リターンし、Ｓ１０３；Ｙｅｓの場合、第２操作ボタンコマンドセットし（Ｓ１０４）、リターンする。
【０１２０】
図３７に示すように、画像制御基板２８が実行する画像制御処理では、保留数コマンドを受信した場合（Ｓ１８１；Ｙｅｓ）、Ｓ１８２の処理において、画像表示器１６に保留数を変更表示させる。また、変動演出開始コマンドを受信した場合（Ｓ１８３；Ｙｅｓ）、Ｓ１８４の処理において、そのコマンドに応じた変動演出パターンを表示させ、変動演出終了コマンドを受信した場合（Ｓ１８５；Ｙｅｓ）、Ｓ１８６の処理において、変動演出パターンの表示を終了させる。また、オープニング演出開始コマンドを受信した場合（１８７；Ｙｅｓ）、Ｓ１８８の処理において、そのコマンドに応じた当り演出パターンを表示させ、エンディング演出開始コマンドを受信した場合（Ｓ１８９；Ｙｅｓ）、Ｓ１９０の処理において、そのコマンドに応じたエンディング演出パターンを表示させる。
【０１２１】
次に、図３８に示すように、特定の演出パターン（特定の変動演出パターン又は当り演出パターン又はエンディング演出パターン）が実行中か否か判定し（Ｓ１９１）、Ｓ１９１；Ｙｅｓの場合、ボタン操作有効期間か否か判定し（Ｓ１９２）、Ｓ１９２；Ｙｅｓの場合、画像表示器１６でボタン操作有効期間である旨（例えば、操作ボタン４２の操作指示）を報知させる（Ｓ１９３）。次に、第１操作ボタンコマンドを受信したか否か判定し（Ｓ１９４）、Ｓ１９４；Ｙｅｓの場合、Ｓ１９５の処理において、実行中の特定の演出パターンを部分的に切換表示させ、例えば、大当り抽選、確変抽選、潜確抽選で当選している期待度が画像表示器１６に表示される。Ｓ１９４；Ｎｏの場合、又はＳ１９５の後、第２操作ボタンコマンドを受信したか否か判定し（Ｓ１９６）、Ｓ１９６；Ｙｅｓの場合、Ｓ１９７の処理において、実行中の特定の演出パターンを部分的に切換表示させる。尚、Ｓ１９４；Ｙｅｓの場合にＳ１９５を省略してもよい。この場合、Ｓ１９７において、例えば、大当り抽選、確変抽選、潜確抽選で当選している期待度が画像表示器１６に表示され、リターンする。尚、Ｓ１９５の後には、Ｓ１９５で行った切換表示と異なる切換表示をＳ１９７で行ってもよい。Ｓ１９１；Ｎｏ、又はＳ１９２；Ｎｏ、又はＳ１９６；Ｎｏの場合、リターンする。
【０１２２】
次に、以上説明した構成の具体的用途例について幾つか説明する。
（１）特別図柄の図柄変動開始時に、画像表示器１６にミッションモード演出を表示させるとともに、操作ボタン４２の操作指示を表示させる。例えば、画像表示器１６に「ボタンを奥まで押すんだ！」という表示を行い、そこで、遊技者が操作ボタン４２を第２退入位置まで押すことができた場合、大当り抽選での当選信頼度が１００％になる。又は、遊技者が操作ボタン４２を第２退入位置まで押せて、操作ボタン４２がロックされる状態になった場合、大当り抽選での当選信頼度が１００％になる。
【０１２３】
（２）特別図柄の図柄変動中の所謂リーチ状態で、画像表示器１６に操作ボタン４２の操作指示を表示させる。そこで、遊技者が操作ボタン４２を第２退入位置まで押すことができた場合、大当り抽選での当選信頼度が１００％になる。又は、遊技者が操作ボタン４２を第２退入位置まで押せて、操作ボタン４２がロックされる状態になった場合、大当り抽選での当選信頼度が１００％になる。
【０１２４】
（３）大当り遊技状態の所定ラウンドで、画像表示器１６に確変昇格チャンス演出を表示させるとともに、操作ボタン４２の操作指示を表示させる。そこで、遊技者が操作ボタン４２を第２退入位置まで押すことができた場合、確変抽選での当選信頼度が１００％になる。又は、遊技者が操作ボタン４２を第２退入位置まで押せて、操作ボタン４２がロックされる状態になった場合、確変抽選での当選信頼度が１００％になる。
【０１２５】
（４）特別図柄の図柄変動中の所謂リーチ状態で、画像表示器１６に操作ボタン４２の上に手を置く指示を表示させる。そこで、操作ボタン４２が第２退入位置から突出した場合、手に当たり、大当り抽選での当選信頼度が１００％になる。この場合、操作ボタン４２が第２退入位置にロックされていることが前提となる。
（５）大当り遊技状態の所定ラウンドで、画像表示器１６に確変昇格チャンス演出を表示させるとともに操作ボタン４２の上に手を置く指示を表示させる。そこで、操作ボタン４２が第２退入位置から突出した場合、手に当たり、確変抽選での当選信頼度が１００％になる。この場合、操作ボタン４２が第２退入位置にロックされていることが前提となる。
【０１２６】
（６）突確図柄の成立により大当り遊技状態後の設定期間における遊技演出と、小当り図柄の成立による小当り遊技後の設定期間における遊技演出とを共通の遊技演出とし、この共通の遊技演出中に操作ボタン４２の操作指示を表示させる。そこで、遊技者が操作ボタン４２を第２退入位置まで押すことができた場合、潜確抽選での当選信頼度が１００％になる。又は、遊技者が操作ボタン４２を第２退入位置まで押せて、操作ボタン４２がロックされる状態になった場合、潜確抽選での当選信頼度が１００％になる。
【０１２７】
尚、演出制御手段２５ａは、大当り遊技状態中に画像表示器１６に操作ボタン４２の操作を介して遊技する所定ゲームを実行させ、操作モード切換制御手段２５ｂ、ボタンロック制御手段２５ｃは、所定ゲームに応じて操作ボタン４２を第１，第２操作モードの何れかの操作モードに保持したり、第２操作モードにおける第２退入位置にロックさせたりロック解除させたりしてもよい。
【０１２８】
この場合、例えば、所定ゲームとしてモグラたたきを行い、モグラが出現した場合にのみ、操作ボタン４２を操作できるようにする。また、十字ボタン４６を利用して番号等を入力し、その入力番号が暗証番号と一致している場合にのみ、操作ボタン４２を操作できるようにする。この場合、暗証番号を早く入力する程、ゲームの得点が高得点になる。
【０１２９】
以上説明したように、操作モード切換制御手段２５ｂは、選択モード切換装置６４を制御して、予め設定された特定期間（ボタン操作有効期間）中に操作ボタン４２を進出位置と第１退入位置との間のみで移動可能にする第１操作モードと、操作ボタン４２を進出位置と第２退入位置との間で移動可能にする第２操作モードとの何れかの操作モードに択一的に保持するとともに、前記何れかの操作モードを特定遊技状態（大当り遊技状態、確変遊技状態、潜確遊技状態）を発生させる所定の抽選（大当り抽選、確変抽選、潜確抽選）の結果を加味して決定し、その操作モードによって前記抽選で当選している信頼度が異なるように構成した。つまり、遊技者が特定期間中に操作ボタン４２を第１退入位置までしか押下操作できない場合と第２退入位置まで押下操作できる場合とで、前記抽選で当選している信頼度を異ならせ、その信頼度をボタン操作の為に動作した遊技者にその動作時に報知して、操作ボタン４２を用いた演技演出を斬新なものにして所望の演出効果を実現することができる。
【０１３０】
ボタンロック制御手段２５ｃは、ボタンロック装置４４を制御して、予め設定された特定期間（ボタン操作有効期間）中に操作ボタン４２を第２退入位置にロックさせた状態とロック解除させた状態の何れかの状態に択一的に保持するとともに、前記何れかの状態を特定遊技状態（大当り遊技状態、確変遊技状態、潜確遊技状態）を発生させる所定の抽選（大当り抽選、確変抽選、潜確抽選）の結果を加味して決定し、その状態によって前記抽選で当選している信頼度が更に異なるように構成した。つまり、遊技者が特定期間中に操作ボタン４２を第２退入位置まで押下操作できた後に、操作ボタン４２が進出位置に復帰した場合と復帰しない場合とで、つまり、その後に、遊技者が特定期間中に操作ボタン４２を操作できる場合と操作できない場合とで、前記抽選で当選している信頼度を異ならせ、その信頼度をボタン操作の為に動作した遊技者にその動作時に報知して、操作ボタン４２を用いた演技演出を斬新なものにして所望の演出効果を実現することができる。
【０１３１】
前記特定期間が操作ボタン４２の操作が有効となる操作有効期間であるので、この操作有効期間中に、遊技者が操作ボタン４２を押下操作することで遊技演出に参加することができるようになる。
演出制御手段２５ａが、演出手段３９を制御して、ボタン操作有効期間にその旨を演出手段３９に報知させ、操作ボタン４２が進出位置から第１退入位置に操作された場合に遊技演出を切換るため、遊技者がボタン操作有効期間をその旨の報知により認識して、ボタン操作の為に動作することができ、そこで、操作ボタン４２を進出位置から第１退入位置に操作した場合に、遊技演出を切換えることができる。
【０１３２】
演技制御手段２５ａが、操作ボタン４２が進出位置から第２退入位置に操作された場合に遊技演出を切換るため、遊技者は、操作ボタン４２を進出位置から第２退入位置に操作した場合に、遊技演出の切換えることができる。
信頼度として、大当り遊技状態を発生させる大当り抽選で当選している信頼度を異ならせることができ、確変遊技状態を発生させる確変抽選で当選している信頼度を異ならせることができ、潜確遊技状態を発生させる潜確抽選で当選している信頼度を異ならせることができる。
【０１３３】
次に、前記実施例を部分的に変更した形態について説明する。但し、前記実施例と基本的に同じものについては同一又は類似の符号を付して説明を省略する。
前記実施例の操作モード切換装置６４とボタンロック装置４４を省略し、図３９，図４０に示すように、それらと同機能を有する操作モード切換兼ボタンロック装置７０（以下、切換ロック装置７０という）が設けられている。つまり、切換ロック装置７０は、第１操作モードと第２操作モードとを択一的に切換え可能に構成されたものであり且つ操作ボタン４２Ａを第２退入位置にロック可能に且つロック解除可能に構成されたものである。切換ロック装置７０は、ベース本体５０の下側に設けられベース本体５０と基板５３と下部カバー５４の少なくとも１つに固定された切換ロックケース７９に収容されている。
【０１３４】
切換ロック装置７０は、第１退入位置の操作ボタン４２Ａに係合して操作ボタン４２Ａを第２退入位置へ移動不能にするとともに、第２退入位置の操作ボタン４２Ａに係合して操作ボタン４２Ａを第２退入位置にロックする規制ロック部材７１と、この規制ロック部材７１を図３９に示す水平姿勢となる第１位置（規制位置、ロック解除位置）と図４０に示す鉛直姿勢となる第２位置（規制解除位置、ロック位置）とに亙って移動駆動可能な駆動機構７２とを有する。この規制ロック部材７１と駆動機構７２が、操作ボタン４２の軸心に対して前後対称に２組設けられている。
【０１３５】
２組の規制ロック部材７１及び駆動機構７２は前後対称であり同期して作動するため、前側の規制ロック部材７１及び駆動機構７２について説明し、後側の規制ロック部材７１及び駆動機構７２の説明は省略する。規制ロック部材７１は、その長さ方向略中央部が、操作ボタン４２Ａの前側の脚部４２ｆよりも前方に位置する左右に向く軸７１ａを介して、切換ロックケース７９の軸支部７９ａに枢支されている。規制ロック部材７１の第１位置における後部が係合片７１ｂに形成され、規制ロック部材７１の第１位置における前端部に上方へ突出する係合ピン７１ｃが設けられている。
【０１３６】
規制ロック部材７１が第１位置のときに、脚部４２ｆの下端部が規制ロック部材７１の係合片７１ｂに上側から係合して、操作ボタン４２Ａが第１退入位置となり、この状態で、規制ロック部材７１が回動不能になって、操作ボタン４２Ａが第２退入位置へ移動不可能に規制される。また、操作ボタン４２が第２退入位置付近のとき、脚部４２ｆに形成された上下に長い長孔４２ｉに規制ロック部材７１の係合ピン７１ｃが前側から嵌合可能になり、この状態で、係合ピン７１ｃに長孔４２ｉの下端部が下側から係合して、操作ボタン４２Ａが第２退入位置となり第２退入位置にロックされる。
【０１３７】
駆動機構７２は、後向きの規制ロックＳＯＬ７３と、規制ロックＳＯＬ７３のプランジャ７３ａの後端部に取付けられた規制回動補助部材７４とを有し、規制ロックＳＯＬ７３により、規制回動補助部材７４が図３９に示す作動位置と図４０に示す待機位置とに亙って前後に移動駆動される。規制ロックＳＯＬ７３には、規制回動補助部材７４を作動位置に付勢する復帰バネ７５が組付けられている。尚、規制ロックＳＯＬ７３は、規制ロックケース７９のＳＯＬ取付部７９ｂに取付けられている。
【０１３８】
図３９に示すように、規制ロック部材７１が第１位置（水平姿勢）のとき、規制回動補助部材７４が作動位置となり、規制ロック部材７１の係合片７１ｂの下面に当接して、規制ロック部材７１が回動不能になり、即ち、操作ボタン４２Ａが第２退入位置へ移動不可能に規制される。そして、第１退入位置の操作ボタン４２から入力される下方操作力が、規制ロック部材７１を介して規制回動補助部材７４で受け止められる。ここで、規制ロック部材７１は図示略の捩じりバネ等により第２位置に回動付勢されている。故に、規制回動補助部材７４が作動位置から待機位置へ移動されると、規制ロック部材７１は第２位置の方へ回動し、操作ボタン４２が第１退入位置から第２退入位置へ押下操作されると、規制ロック部材７１の係合ピン７１ｃが長孔４２ｉに係合し、操作ボタン４２Ａが第２退入位置にロックされる。
【０１３９】
次に、規制ロック部材７１の係合ピン７１ｃが長孔４２ｉに係合した状態で、規制回動補助部材７４が待機位置から作動位置へ移動されると、規制回動補助部材７４が規制ロック部材７１の係合片７１ｂを後方へ押動し、つまり、規制ロック部材７１が図示にて反時計回り方向へ回動され、規制ロック部材７１の係合ピン７１ｃが長孔４２ｉから係合解除し、操作ボタン４２Ａがロック解除される。この切換ロック装置７０を設けたことにより、前記実施例と比べて構造をコンパクトにすることができる。
【実施例２】
【０１４０】
次に、前記実施例１の操作ボタン処理を変更した形態について説明する。但し、前記実施例１と基本的に同じものについては同一又は類似の符号を付して説明を省略する。本実施例の操作モード切換装置６４は、ボタン操作有効期間中に第１，第２操作モードの何れか一方から他方に切換え可能な操作モード切換手段を構成したものである。
【０１４１】
本実施例の操作モード切換制御手段２５ｂは、予め設定された特定期間中に所定の抽選の結果を加味して決定される第１，第２操作モードの何れかの操作モードに保持し、或いは、予め設定された特定期間中に第１，第２操作モードの何れか一方から他方に切換え可能にし、その保持された操作モードや操作モードを切換る場合と切換ない場合とによって所定の抽選（大当り抽選，確変抽選，潜確抽選）で当選している信頼度が異なるように構成されている。尚、本実施例では、ボタン操作有効期間中に第１操作モードから第２操作モードに切換わる場合について説明する。
【０１４２】
図４１に示すＳ２２の操作ボタン処理は、図３５に示すＳ２２の操作ボタン処理を部分的に変更したものであり、図３５のステップと同じステップには同一のステップ番号を付して説明を省略する。
先ず、操作モード切換・ボタンロック制御を実行か否か判定し（Ｓ９２）、Ｓ９２；Ｙｅｓの場合、モード判定処理（Ｓ２００）を実行する。このモード判定処理では、図４３に示すように、大当り抽選、確変抽選、潜確抽選の各々において、当選の場合と非当選の場合とで、夫々、第１操作モードにする、第２操作モードにして操作ボタン４２を第２退入位置にロックしないようにする、第２操作モードにして操作ボタン４２を第２退入位置にロック可能にする、ボタン操作有効期間中に第１操作モードから第２操作モードに切換えて操作ボタン４２を第２退入位置にロックしないようにする、第１操作モードから第２操作モードに切換えて操作ボタン４２を第２退入位置にロック可能にする、の何れか１つを図示の選択率にて択一的に選択決定する。次に、Ｓ２００の後、ボタン操作有効期間か否か判定し（Ｓ９５）、Ｓ９５；Ｙｅｓの場合、ボタン操作有効期間中に第１操作モードから第２操作モードに切換える制御をするか否かを判定する（Ｓ２０１）。Ｓ２０１；Ｎｏの場合、第１操作モードに保持するか否か判定する（Ｓ９６）。
【０１４３】
ボタン操作有効期間中に第１操作モードから第２操作モードに切換える制御を実行する場合（Ｓ２０１；Ｙｅｓ）、図４２に示すように、先ず、切換タイミングが経過したか否かを判定し（Ｓ２１１）、Ｓ２１１；Ｙｅｓの場合、第２退入位置にロックするか否か判定される（Ｓ２１２）。この切換タイミングは、有効期間中に設定時間以上になったか否か、或いは、有効期間中に操作ボタン４２が設定回数以上操作されたか否か、などにより判定される。切換タイミングが経過していない場合（Ｓ２１１；Ｎｏ）、ＯＦに０がセットされる（Ｓ２１２）。切換タイミング経過後に第１操作モードから第２操作モードに切換えて操作ボタン４２を第２退入位置にロックしない場合（Ｓ２１１；Ｙｅｓ，Ｓ２１２；Ｎｏ）、ＯＦに１をセットし（Ｓ２１４）、第１操作モードから第２操作モードに切換えて操作ボタン４２を第２退入位置にロック可能にする場合（Ｓ２１１；Ｙｅｓ，Ｓ２１２；Ｙｅｓ）、ＯＦに２をセットし（Ｓ２１５）、夫々、ＳＡへ移行する。
【０１４４】
次に、以上説明した構成の具体的用途例について幾つか説明する。
（１）特別図柄の図柄変動開始時に、画像表示器１６にミッションモード演出を表示させるとともに、操作ボタン４２の操作指示を表示させる。そこで、遊技者が操作ボタン４２を第１退入位置まで押下操作可能な状態で設定時間経過した後に、又は、操作ボタン４２を第１退入位置まで設定回数押下操作した後に、第２退入位置まで押すことができた場合、大当り抽選での当選信頼度が１００％になる。又は、遊技者が操作ボタン４２を有効期間中に第１退入位置から第２退入位置まで押せるようになって、操作ボタン４２がロックされる状態になった場合、大当り抽選での当選信頼度が１００％になる。
【０１４５】
（２）特別図柄の図柄変動中の所謂リーチ状態で、画像表示器１６に操作ボタン４２の操作指示を表示させる。そこで、遊技者が操作ボタン４２を第１退入位置まで押下操作可能な状態で設定時間経過した後に、又は、操作ボタン４２を第１退入位置まで設定回数押下操作した後に、第２退入位置まで押すことができた場合、大当り抽選での当選信頼度が１００％になる。又は、遊技者が操作ボタン４２を有効期間中に第１退入位置から第２退入位置まで押せるようになって、操作ボタン４２がロックされる状態になった場合、大当り抽選での当選信頼度が１００％になる。
【０１４６】
このリーチ状態において、例えば、画像表示器１６上で敵と戦って、操作ボタン４２を連打させて敵のライフゲージを減少させ、ライフゲージをゼロにできたら大当りが発生する（ライフゲージを減少させる程、大当りが発生する確率が高くなる）ようにしても良い。ここで、操作ボタン４２を連打可能なボタン操作有効期間の途中で、第１退入位置から第２退入位置まで押下操作できた場合、大当り抽選での当選信頼度が高い状態になる（つまり、ライフゲージを大きく減少させることができる）。具体的に、第２退入位置まで押下操作できた場合、その時点でライフゲージがゼロになって、大当り抽選での当選信頼度が１００％になる。
【０１４７】
（３）大当り遊技状態の所定ラウンドで、画像表示器１６に確変昇格チャンス演出を表示させるとともに、操作ボタン４２の操作指示を表示させる。そこで、遊技者が操作ボタン４２を第１退入位置まで押下操作可能な状態で設定時間経過した後に、又は、操作ボタン４２を第１退入位置まで設定回数押下操作した後に、第２退入位置まで押すことができた場合、大当り抽選での当選信頼度が１００％になる。又は、遊技者が操作ボタン４２を有効期間中に第１退入位置から第２退入位置まで押せるようになって、操作ボタン４２がロックされる状態になった場合、大当り抽選での当選信頼度が１００％になる。
【０１４８】
（４）突確図柄の成立により大当り遊技状態後の設定期間における遊技演出と、小当り図柄の成立による小当り遊技後の設定期間における遊技演出とを共通の遊技演出とし、この共通の遊技演出中に操作ボタン４２の操作指示を表示させる。そこで、遊技者が操作ボタン４２を第１退入位置まで押下操作可能な状態で設定時間経過した後に、又は、操作ボタン４２を第１退入位置まで設定回数押下操作した後に、第２退入位置まで押すことができた場合、潜確抽選での当選信頼度が１００％になる。又は、遊技者が操作ボタン４２を有効期間中に第１退入位置から第２退入位置まで押せるようになって、操作ボタン４２がロックされる状態になった場合、潜確抽選での当選信頼度が１００％になる。
【０１４９】
尚、演出制御手段２５ａは、大当り遊技状態中に画像表示器１６に操作ボタン４２の操作を介して遊技する所定ゲームを実行させ、操作モード切換制御手段２５ｂ、ボタンロック制御手段２５ｃは、所定ゲームに応じて操作ボタン４２のボタン操作有効期間中に第１，第２操作モードの何れか一方から他方に切換えたり、第１操作モードから第２操作モード切換え後における第２退入位置にロックさせたりロック解除させたりしてもよい。
【０１５０】
このように、操作モード切換装置６４と操作モード切換制御手段２５ｂにより、特定期間中に第１，第２操作モードの何れか一方から他方に択一的に切換えることができ、操作モードを切換る場合と切換ない場合とで抽選で当選している信頼度が異ならせ、その信頼度をボタン操作４２の為に動作した遊技者にその動作時に報知して、操作ボタン４２を用いた演技演出を斬新なものにして所望の演出効果を実現することができる。例えば、遊技者にとっては、操作ボタン４２の連打の途中で操作ボタン４２が「ズボッ」と押し下げる感覚が得られるので、遊技者に対して驚きを提供することができる。その他の構成、作用及び効果は前記実施例１と略同様である。
【０１５１】
その他、本発明の趣旨を逸脱しない範囲において、前記開示事項以外の種々の変更を付加して実施可能である。例えば、第２退入位置の操作ボタン４２の出没操作部４２ａの上面と上部外カバー５２の上面の高さ位置が略同じになるようにしてもよい。
【産業上の利用可能性】
【０１５２】
本発明は、パチンコ遊技機の操作ボタン以外の種々の操作ボタン（例えば、ＥＮＴＥＲボタンや十字ボタン）や、パチンコ遊技機以外の種々の遊技機（例えば、スロットマシン）の種々の操作ボタンに本発明を適用してもよい。
【符号の説明】
【０１５３】
１    パチンコ遊技機
１１ａ，１１ｂ  第１，第２始動入賞口
１３ａ  大入賞口
２１ｃ  遊技状態制御手段
２５ａ  演出制御手段
２５ｂ  操作モード切換制御手段
２５ｃ  ボタンロック制御手段
３９  演出手段
４２  操作ボタン
４４  ボタンロック装置
４９  復帰バネ
６４  操作モード切換装置
６５  規制部材
６６  規制部材駆動機構
【図１】
2011036563.tif 000003
【図２】
2011036563.tif 000004
【図３】
2011036563.tif 000005
【図４】
2011036563.tif 000006
【図５】
2011036563.tif 000007
【図６】
2011036563.tif 000008
【図７】
2011036563.tif 000009
【図８】
2011036563.tif 000010
【図９】
2011036563.tif 000011
【図１０】
2011036563.tif 000012
【図１１】
2011036563.tif 000013
【図１２】
2011036563.tif 000014
【図１３】
2011036563.tif 000015
【図１４】
2011036563.tif 000016
【図１５】
2011036563.tif 000017
【図１６】
2011036563.tif 000018
【図１７】
2011036563.tif 000019
【図１８】
2011036563.tif 000020
【図１９】
2011036563.tif 000021
【図２０】
2011036563.tif 000022
【図２１】
2011036563.tif 000023
【図２２】
2011036563.tif 000024
【図２３】
2011036563.tif 000025
【図２４】
2011036563.tif 000026
【図２５】
2011036563.tif 000027
【図２６】
2011036563.tif 000028
【図２７】
2011036563.tif 000029
【図２８】
2011036563.tif 000030
【図２９】
2011036563.tif 000031
【図３０】
2011036563.tif 000032
【図３１】
2011036563.tif 000033
【図３２】
2011036563.tif 000034
【図３３】
2011036563.tif 000035
【図３４】
2011036563.tif 000036
【図３５】
2011036563.tif 000037
【図３６】
2011036563.tif 000038
【図３７】
2011036563.tif 000039
【図３８】
2011036563.tif 000040
【図３９】
2011036563.tif 000041
【図４０】
2011036563.tif 000042
【図４１】
2011036563.tif 000043
【図４２】
2011036563.tif 000044
【図４３】
2011036563.tif 000045